(57)【要約】【課題】カメラ筐体内に設けた電子部品からの発熱を抑えて、カメラ筺体の温度上昇を低減する。【解決手段】放熱部８０はカメラ本体部２０とハンドル部７０との間に設けられており、カメラ筐体２１の内部に取り付けられた信号処理回路部４０の回路基板４１上に搭載したＬＳＩ４２Ａ，４２Ｂ，４２Ｃなどの電子部品からの発熱を、熱伝導部材８１とヒートパイプ８２とヒートシンク８３とを順に介してカメラ筐体２１から遠ざかる位置にあるハンドル７１内まで導いて、ハンドル部７０から外部に放熱しているので、カメラ筐体２１の温度上昇を抑えることができる。【選択図】図５
2006340214.tif 000002
【特許請求の範囲】
【請求項１】
撮像レンズで結像された被写体像を光電変換する固体撮像素子と、前記固体撮像素子からのビデオ信号を少なくとも処理するために電子部品を回路基板上に搭載した信号処理回路部とをカメラ筐体内に有するカメラ本体部と、
前記カメラ筐体の上方部位に突出して設けられており、操作者の手で把持される把持部と、内部中空部とが形成されたハンドルと、
前記固体撮像素子及び／又は前記電子部品から発生した熱を伝導するために前記固体撮像素子及び／又は前記電子部品に接するか又は接近して配置される熱伝導部材と、前記熱伝導部材に一端入熱部側が固着され、他端放熱部側が前記カメラ筐体内から前記ハンドルの前記内部中空部内に延在して配置されるヒートパイプと、前記ハンドルの前記内部中空部内に収納され且つ前記ヒートパイプの前記他端放熱部側が固着されるヒートシンクとからなる放熱部と、
を備えたことを特徴とするビデオカメラ。
【請求項２】
前記放熱部は、前記内部中空部をカバーで覆ったハンドル部に空気孔とファンとを前記ヒートシンクを挟んで設け、前記空気孔と前記ファンとの間で前記内部中空部内の空気を一方側から他方側に流動させることを特徴とする請求項１記載のビデオカメラ。
【請求項３】
前記ヒートシンクは前記空気の流動方向に沿って複数の溝が形成されたことを特徴とする請求項２記載のビデオカメラ。
【発明の詳細な説明】
【技術分野】
【０００１】
本発明は、カメラ筺体の内部に取り付けた固体撮像素子及び／又は回路基板上の電子部品からの発熱を、ヒートパイプを介してカメラ筺体の上方部位に取り付けた可搬用のハンドル部まで導いて外部に放熱するように構成したビデオカメラに関するものである。
【背景技術】
【０００２】
最近、レンズ鏡筒内に被写体を撮影するための撮影レンズを有したレンズ鏡筒部をカメラ筐体の先端部位に着脱自在に取り付け、且つ、撮影レンズで結像された被写体像をカメラ筐体内に設けた固体撮像素子により光電変換した後に、固体撮像素子からのビデオ信号を少なくとも信号処理回路部で処理して、磁気テープ又は光ディスクもしくは固体メモリなどの記録媒体に記録再生する記録再生部を内蔵すると共に、撮影した被写体像又は記録した被写体像を表示するための液晶パネル部をカメラ筐体の外部前面に開閉自在に取り付けた可搬型のビデオカメラが多用されている。
【０００３】
上記したビデオカメラに用いられる固体撮像素子としては、ＲＧＢの合成光を結像する単板式と、３色に分離したＲ光，Ｇ光、Ｂ光をそれぞれ結像する３板式とがあり、業務用のビデオカメラでは当然のことながら映像の高品位化が問われることから、３板方式が多く採用されている。
【０００４】
そして、この種のビデオカメラでは、カメラ筺体を小型化及び軽量化することが望まれており、これに伴って、固体撮像素子からのビデオ信号を少なくとも処理するための信号処理回路部の回路基板上にはＬＳＩ（Ｌａｒｇｅ  Ｓｃａｌｅ  Ｉｎｔｅｇｒａｔｉｏｎ）やＩＣ（Ｉｎｔｅｇｒａｔｅｄ  Ｃｉｒｃｕｉｔ）などの電子部品が高密度に実装されているために、これらのＬＳＩやＩＣなどの発熱によって小型化されたカメラ筺体が必然的に温度上昇をきたす。
【０００５】
とくに、業務用のビデオカメラでは高品位映像の画像処理に加えて、映像処理速度を速めるためにクロック周波数が高くなる上に、例えばフィルムモードの如くの特別な機能を加えたりする場合に、回路基板上に搭載している複数個のＬＳＩ、例えばＦＰＧＡ（Ｆｉｅｌｄ  Ｐｒｏｇｒａｍｍａｂｌｅ  Ｇａｔｅ  Ａｒｒａｙ）などは特に発熱量が大きく、他の電子回路部品に与える影響が大である。
【０００６】
更に、固体撮像素子からのビデオ信号に対してＭＰＥＧ（Ｍｏｖｉｎｇ  ＰｉｃｔｕｒｅＥｘｐｅｒｔｓ  Ｇｒｏｕｐ）信号に圧縮するためのエンコーダ部品用のＩＣなども発熱の大きな要因となっており、これらの電子部品によるカメラ筺体内の発熱は時として６５°Ｃを超えるものとなってしまい、使用に供することができない。
【０００７】
一方、一般的にビデオカメラでは、固体撮像素子も発熱するので、熱による暗電流の抑制及びノイズ成分の軽減などのために固体撮像素子からの発熱をいかに放熱するかが課題であり、このために、例えば、固体撮像素子とサーモジュールとその放熱フィンの周囲にダクトを設け、ダクトの空気を電気ファンにより吸気筒を介してカメラ筺体外に排出することにより、温度上昇を防止する方法（例えば、特許文献１参照）とか、固体撮像素子からの発熱を複数枚の銅箔を重ね合わせて可撓に形成した銅箔放熱板を用いてカメラ筺体外に排出することにより、温度上昇を防止する方法（例えば、特許文献２参照）などが開示されている。
【特許文献１】特開平０４−３３１５８０号公報。
【特許文献２】特開平０７−１５４６５７号公報。
【発明の開示】
【発明が解決しようとする課題】
【０００８】
ところで、上述したように、業務用のビデオカメラのカメラ筺体内に配置した信号処理回路部の回路基板上の電子部品から発生した熱を外部に放熱する場合に、上記した特許文献１に開示された技術的思想、又は、特許文献２に開示された技術的思想を応用することは可能であるものの、上記したいずれの技術的思想の場合でも発熱源からの熱をカメラ筺体に伝達して、このカメラ筺体から外部に放熱するために、カメラ筺体自体も高温になってしまい、露出したカメラ筺体を操作者の手などが触れると瞬間に熱くなり、ビックリしてビデオカメラを落下させてしまうような危険性がある。
【０００９】
また、上記した特許文献１に開示された技術的思想を仮に採用した場合に、発熱源とカメラ筺体との間にダクトを設置しなければならないので、カメラ筺体内で部品配置のスペース効率が悪くビデオカメラの小型化に悪影響を及ぼしてしまう。
【００１０】
そこで、ビデオカメラの使用時に、カメラ筐体の内部に取り付けた固体撮像素子及び／又は回路基板上の電子部品からの発熱をカラメ筺体以外の場所から放熱して、カメラ筺体の温度上昇を低減できる構造形態のビデオカメラが望まれている。
【課題を解決するための手段】
【００１１】
本発明は上記課題に鑑みてなされたものであり、請求項１記載の発明は、撮像レンズで結像された被写体像を光電変換する固体撮像素子と、前記固体撮像素子からのビデオ信号を少なくとも処理するために電子部品を回路基板上に搭載した信号処理回路部とをカメラ筐体内に有するカメラ本体部と、
前記カメラ筐体の上方部位に突出して設けられており、操作者の手で把持される把持部及び内部中空部が形成されたハンドルと、前記内部中空部を覆うカバーとを有するハンドル部と、
前記固体撮像素子及び／又は前記電子部品から発生した熱を伝導するために前記固体撮像素子及び／又は前記電子部品に接するか又は接近して配置される熱伝導部材と、前記熱伝導部材に一端入熱部側が固着され、他端放熱部側が前記カメラ筐体内から前記ハンドルの前記内部中空部内に延在して配置されるヒートパイプと、前記ハンドルの前記内部中空部内に収納され且つ前記ヒートパイプの前記他端放熱部側が固着されるヒートシンクとからなる放熱部と、
を備えたことを特徴とするビデオカメラである。
【００１２】
また、請求項２記載の発明は、請求項１記載のビデオカメラにおいて、
前記放熱部は、前記内部中空部をカバーで覆ったハンドル部に空気孔とファンとを前記ヒートシンクを挟んで設け、前記空気孔と前記ファンとの間で前記内部中空部内の空気を一方側から他方側に流動させることを特徴とするビデオカメラである。
【００１３】
更に、請求項３記載の発明は、請求項２記載のビデオカメラにおいて、
前記ヒートシンクは前記空気の流動方向に沿って複数の溝が形成されたことを特徴とするビデオカメラである。
【発明の効果】
【００１４】
請求項１記載のビデオカメラによると、とくに、放熱部はカメラ本体部とこの上方部位に突出したハンドル部との間に設けられており、カメラ筐体の内部に取り付けた固体撮像素子及び／又は回路基板上の電子部品からの発熱を、熱伝導部材とヒートパイプとヒートシンクとを順に介してカメラ筐体から遠ざかる位置にあるハンドル内まで導いて、ハンドル部から外部に放熱しているので、カメラ筐体の温度上昇を抑えることができ、これに伴ってビデオカメラの品質向上に寄与でき、且つ、ビデオカメラの使用勝手も良好となる。
【００１５】
また、請求項２記載及び請求項３記載のビデオカメラによると、とくに、ハンドルの内部中空部をカバーで覆ったハンドル部に空気孔とファンとをヒートシンクを挟んで設け、空気孔とファンとの間で内部中空部内の空気を一方側から他方側に流動させてヒートシンクを冷却しているので、放熱部の放熱効果をより一層高めることができる。
【発明を実施するための最良の形態】
【００１６】
以下に本発明に係るビデオカメラの一実施例について図１〜図７を参照して詳細に説明する。
【００１７】
尚、本発明に係るビデオカメラは、業務用として高品位な映像が得られるように固体撮像素子を３板式で構成して以下説明するが、これに限定されるものでなく、単板式でも良いものである。
【実施例】
【００１８】
図１は本発明に係るビデオカメラの全体構成を説明するための構成図、
図２は本発明に係るビデオカメラを後面側から見た時の外観を示した外観斜視図である。
【００１９】
図１に示した如く、本発明に係るビデオカメラ１は、レンズ鏡筒１１内に被写体を撮影するための撮影レンズ１２を有してカメラ筐体２１の先端部位に着脱自在に取り付けられるレンズ鏡筒部１０と、カメラ筐体２１内に撮像素子部３０と信号処理回路部４０と記録再生部５０とを有するカメラ本体部２０と、カメラ筐体２１の上方部位に取り付けられた可搬用のハンドル部７０と、カメラ本体部２０とハンドル部７０との間に設けられてカメラ筐体２１内に取り付けられた信号処理回路部４０の回路基板上に搭載した電子部品からの発熱をヒートパイプ８２を介してハンドル部７０まで導いてこのハンドル部７０から外部に放熱する放熱部８０と、ハンドル部７０の先端部位に取り付けられたビューファインダー部９０及びマイクロホン９２と、カメラ筐体２１の下方部位に取り付けられてビデオオメラ１を操作者の肩に乗せて被写体を撮影するためのショルダーパッド９４と、カメラ筐体２１の後方部位に着脱自在に取り付けられるバッテリー９６とで概略構成されている。
【００２０】
尚、この実施例では、レンズ鏡筒部１０をカメラ筺体２１の先端部位に着脱自在に取り付けているが、これに限ることなく、レンズ鏡筒部１０をカメラ本体部２０と一体化させても良い。
【００２１】
そして、上記のように構成されたビデオカメラ１では、通常、カメラ筐体２１の下方部位に取り付けたショルダーパッド９４を操作者の肩に乗せながら被写体を撮影するために、操作者の肩に当接するショルダーパッド９４部位は低反発のウレタン樹脂部材（図示せず）で形成されているので、ビデオカメラ１の重量に応じてウレタン樹脂部材が適宜変形して疲労感なく撮影でき、これに伴ってこの種のビデオオメラ１はショルダー型とも呼称されている。
【００２２】
また、ビデオカメラ１を不使用時に搬送する場合には、カメラ筐体２１の上方部位に取り付けた可搬用のハンドル部７０を操作者の手で把持しながら搬送できるようになっている。勿論、ハンドル部７０を把持しながら被写体を撮影することも可能である。
【００２３】
ここで、上記したカメラ本体部２０は、軽量なアルミ又はマグネシウムなどのダイキャスト材を用いて略箱状に組み立てられたカメラ筺体２１と、カメラ筺体２１内の前方部位に設けられてレンズ鏡筒部１０の撮影レンズ１２で結像された被写体像を光電変換する撮像素子部３０と、カメラ筺体２１内で撮像素子部３０より後方に設けられて撮像素子部３０から出力された被写体像に対応したビデオ信号やマイクロホン９２で収録した音に対応したオーディオ信号などを処理する信号処理回路部４０と、カメラ筺体２１内で信号処理回路部４０の裏面側に設けられて撮影した被写体像のビデオ信号及び収録したオーディオ信号を磁気テープ又は光ディスクもしくは固体メモリなどの不図示の記録媒体上に記録再生する記録再生部５０と、カメラ筺体２１の外部前面に取り付けられて操作者が操作する操作部６０及び撮影中の被写体像又は記録した被写体像を表示する液晶パネル６２とを備えている。
【００２４】
ここで、上記のように構成した本発明に係るビデオカメラ１において、本発明の要部を構成する放熱部８０について、図３〜図７を用いて説明する。
【００２５】
図３は本発明に係るビデオカメラにおいて、カメラ筺体を説明するために分解して示した分解斜視図、
図４は本発明に係るビデオカメラにおいて、カメラ筺体の上方部位に取り付けた可搬用のハンドル部を分解して示した分解斜視図、
図５は本発明に係るビデオカメラにおいて、カメラ筺体中の中枠内に取り付けられた撮像素子部と、中枠内に取り付けられた信号処理回路部の回路基板上に搭載した電子部品からの発熱をカメラ筺体の上方部位に取り付けた可搬用のハンドル部から外部に放熱する状態とを示した平面図、
図６（ａ）は本発明に係るビデオカメラにおいて、カメラ筺体内に取り付けられた信号処理回路部の回路基板上に搭載した電子部品からの発熱をカメラ筺体の上方部位に取り付けた可搬用のハンドル部から外部に放熱する状態を摸式的に拡大して示した斜視図であり、（ｂ）はヒートシンクをイーイ線に沿って断面した断面図、
図７は本発明に係るビデオカメラにおいて、カメラ筺体内及びハンドル部内の温度分布を摸式的に示した図である。
【００２６】
本発明の要部を構成する放熱部８０を詳述する前に、カメラ筺体２１と、このカメラ筺体２１の上方部位に取り付けられるハンドル部７０とを先に説明する。
【００２７】
図３に示した如く、ビデオカメラ１の基台となるカメラ筺体２１は、軽量なアルミ又はマグネシウムなどのダイキャスト材を用いて形成した前枠２２と、中枠２３と、後枠２４とで構成されており、中枠２３の前後に前枠２２及び後枠２４を蓋合わせして略箱状に組み立てられている。尚、図３中に示したカメラ筺体２１の前枠２２及び中枠２３並びに後枠２４は、ダイキャスト加工後の状態を示しており、この後、切削加工を適宜施すものである。
【００２８】
この際、カメラ筺体２１中の前枠２２は、複数の操作釦（図示せず）などを配置した操作部６０（図１）が左側の外部円弧面２２ａに沿って取り付けられ、且つ、液晶パネル６２（図１）が右側の外部平坦面２２ｂに沿って開閉自在に取り付けられている。
【００２９】
また、カメラ筺体２１中の中枠２３は、先端部位にレンズ鏡筒部１０（図１）が不図示のバヨネット機構に対して着脱自在に取り付けられる丸孔２３ａが貫通して穿設され、且つ、この丸孔２３ａの後方に形成した第１内部平坦面２３ｂに撮像素子部３０（図１）が配置され、且つ、第１内部平坦面２３ｂの後方に形成した第２内部平坦面２３ｃに信号処理回路部４０の回路基板４１が取り付けられている。
【００３０】
この際、信号処理回路部４０の回路基板４１上には、発熱するＬＳＩ４２Ａ，４２Ｂ，４２Ｃなどの電子部品が複数搭載され、且つ、熱伝導率の良い銅板又はアルミ板などを用いて形成した放熱部８０の熱伝導部材８１がＬＳＩ４２Ａ，４２Ｂ，４２Ｃに接するか又はＬＳＩ４２Ａ，４２Ｂ，４２Ｃの上方に僅かな隙間を隔てて接近して配置されている。
【００３１】
更に、熱伝導部材８１上にブラケット８１ａを介してヒートパイプ８２の一端入熱部８２ａ側が固着され、このヒートパイプ８２が中枠２３の天面２３ｄの一部を切り欠いた切欠部２３ｄ１から上方に向かっている。
【００３２】
また、カメラ筺体２１中の中枠２３の天面２３ｄ上にハンドル部７０（図１）を固着させるためのハンドル支持部２３ｄ２が上方に向かって突出形成されている。
【００３３】
尚、図５に示した如く、カメラ筺体２１中の中枠２３内に配置した撮像素子部３０は、
レンズ鏡筒部１０の撮影レンズ１２で撮影した被写体像をダイクロイックプリズム３１によりＲ光，Ｇ光，Ｂ光に色分解して３板式の固体撮像素子３２Ｒ，３２Ｇ，３２Ｂでそれぞれ光電変換した後に、各固体撮像素子３２Ｒ，３２Ｇ，３２Ｂからの各色のビデオ信号を各接続線３３Ｒ，３３Ｇ，３３Ｂ及びコネクタ３４を介して信号処理回路部４０の回路基板４１に入力している。
【００３４】
図３に戻り、カメラ筺体２１中の後枠２４は、前方部位側に内部円弧面２４ａが形成され、且つ、内部円弧面２４ａの後方に形成した内部平坦面２４ｂ内に矩形孔２４ｃが大きく貫通して形成されており、この矩形孔２４ｃ内に記録再生部５０（図１）が嵌め込まれている。
【００３５】
次に、図４に示した如く、カメラ筺体２１の上方部位に突出して取り付けられる可搬用のハンドル部７０は、カメラ筺体２１中の中枠２３（図３）の上方部位に突出して設けられるハンドル７１と、ハンドル７１の外周を覆う上カバー７２及び右側カバー７３並びに左側カバー７４とで構成されている。
【００３６】
上記したハンドル７１は、カメラ筐体２１（図１，図３）と同様に、軽量なアルミ又はマグネシウムなどのダイキャスト材を用いて、下板部７１ａと、上板部７１ｂと、左側板部７１ｃと、右側板部７１ｄと、下板部７１ａ，上板部７１ｂ，左側板部７１ｃ，右側板部７１ｄとで囲まれた内部に操作者の手を挿入して把持するために略楕円状に大きく肉抜きされた把持用孔７１ｅとで構成されて、一体的に周回状に形成されている。
【００３７】
また、ハンドル７１の上板部７１ｂの前後が前側板部７１ｂ１及び後側板部７１ｂ２ｄとで覆われ、且つ、上板部７１ｂの上方部位が上カバー７２で覆われることで、操作者の手で把持される把持部が形成され、この把持部の内部に第１の内部中空部Ｋ１が形成されている。
【００３８】
また、ハンドル７１の右側板部７１ｄの前後が前側板部７１ｄ１及び後側板部７１ｄ２ｄで覆われ、且つ、右側板部７１ｄの右方部位が右側カバー７３で覆われてこの内部も第２の内部中空部Ｋ２が形成されている。
【００３９】
そして、ハンドル７１に形成した第１，第２の内部中空部Ｋ１，Ｋ２は互いに連接しているので、後述するように第２の内部中空部Ｋ２内に放熱部８０のヒートパイプ８２が挿通され、更に、このヒートパイプ８２の他端放熱部８２ｂ側を不図示の接着剤などにより固着したヒートシンク８３が第１の内部中空部Ｋ１内に収納されている。
【００４０】
この際、ヒートシンク８３の上面に取付板８４が不図示の接着剤などにより固着されており、この取付板８４が図５にも示したように上カバー７２及び右側カバー７３と共に上板部７１ｂ上に垂設したボス７１ｂ３，７１ｂ４にネジを介して共締めされている。
【００４１】
また、ハンドル７１の先端部位側となる左側板部７１ｃの上方部位に直方形状の箱部７１ｆが一体的に突出形成されており、且つ、この箱部７１ｆの内部は直方状に肉抜きされて第３の内部中空部Ｋ３が形成されている。この際、ハンドル７１の箱部７１ｆは、前述したビューファインダー部９０（図１，図２）及びマイクロホン９２（図１，図２）を支持する機能を備えていると共に、後述する放熱部８０のファン８５を内蔵する機能も備えている。
【００４２】
更に、上板部７１ｂと前後の前側板部７１ｂ１及び後側板部７１ｂ２ｄとで囲まれた第１の内部中空部Ｋ１を覆う平板状の上カバー７２と、右側板部７１ｄと前後の前側板部７１ｄ１及び後側板部７１ｄ２ｄとで囲まれた第２の内部中空部Ｋ２を覆うコ字状の右側カバー７３と、左側板部７１ｃと前後の前側板部７１ｃ１及び後側板部７１ｃ２（図示せず）とで囲まれた空間及び箱部７１ｆの下面を覆う左側カバー７４は、共に黒色の樹脂材を用いてそれぞれ形成されている。尚、コ字状の右側カバー７３の下面には、上記した第１，第２の内部中空部Ｋ１，Ｋ２内に外部からの空気を進入させるための空気孔７３ａが穿設されている。
【００４３】
この際、上カバー７２は、上板部７１ｂ上に垂設したボス７１ｂ３，７１ｂ４に取り付けられている。また、右側カバー７３は、上方側が上カバー７２と共締めで上板部７１ｂ上に垂設したボス７１ｂ４に取り付けられると共に、右側が右側板部７１ｄに横設したボス７１ｄ３に取り付けられている。また、左側カバー７４は、箱部７１ｆの下面に形成したネジ孔（図示せず）及び下板部７１ａの裏面に垂設したボス７１ａ１に取り付けられている。
【００４４】
そして、ハンドル７１の下板部７１ａに形成したハンドル支持部７１ａ２をカメラ筺体２１中の中枠２３の天面２３ｄ（図３）上に突出形成したハンドル支持部２３ｄ２に不図示のネジを用いて固着している。
【００４５】
次に、本発明の要部を構成する放熱部８０は、前述したように、カメラ本体部２０とこの上方部位に突出したハンドル部７０との間に設けられており、カメラ筐体２１の内部に取り付けられた信号処理回路部４０の回路基板４１上に搭載した電子部品からの発熱をヒートパイプ８２を介してハンドル部７０まで導いてこのハンドル部７０から外部に放熱するように構成されている。
【００４６】
より具体的に説明すると、図５及び図６に示した如く、放熱部８０は、カメラ筐体２１中の中枠２３内に取り付けられた信号処理回路部４０の回路基板４１上に搭載したＬＳＩ４２Ａ，４２Ｂ，４２Ｃなどの電子部品に接するか又は接近して配置された熱伝導部材８１と、この熱伝導部材８１上にブラケット８１ａを介して一端入熱部８２ａ側が固着され、且つ、この一端入熱部８２ａ側と反対側の他端放熱部８２ｂ側が中枠２３の天面２３ｄを一部切り欠いた切欠部２３ｄ１から中枠２３の天面２３ｄに支持したハンドル７１の右側板部７１ｄ側に形成した第２の内部中空部Ｋ２を通って、ハンドル７１の上板部７１ｂ側に形成した第１の内部中空部Ｋ１まで延在して配置されるヒートパイプ８２と、ヒートパイプ８２の他端放熱部８２ｂ側が固着された状態でハンドル７１の上板部７１ｂ側に形成した第１の内部中空部Ｋ１内に収納されるヒートシンク８３と、このヒートシンク８３の上面に固着されて上カバー７２及び右側カバー７３と共にハンドル７１の上板部７１ｂ上に取り付けられる取付板８４と、ハンドル７１の箱部７１ｆ内に必要に応じて設けられ、且つ、右側カバー７３の下面に穿設した空気孔７３ａから外部の空気が上記した第１，第２の内部中空部Ｋ１，Ｋ２内に進入してヒートシンク８３を冷却し、且つ、ハンドル７１の箱部７１ｆに穿設した空気孔７１ｆ１を経由して箱部７１ｆ内に進入した空気を外部に排出するファン８５と、ファン８５からの空気を排出する空気孔８６ａが形成されたファンカバー８６とで構成されている。
【００４７】
この際、上記したヒートパイプ８２は市販品を用いており、細径で長尺な丸棒状に形成された密閉容器内に少量の液体（作動液）が真空封入され、且つ、内壁に毛細管構造（ウイック）を備えたものである。そして、ヒートパイプ８２の一端入熱部８２ａ側に熱が加わると、内部の作動液が蒸発（蒸発潜熱の吸収）して、蒸気が低温側の他端放熱部８２ｂ側に移動し、この他端放熱部８２ｂ側で熱が下降して蒸気が凝縮（蒸発潜熱の放出）し、更に、凝縮した液が毛細管現象で加熱側の一端入熱部８２ａ側に還流するようになっている。
【００４８】
また、上記したヒートシンク８３は、図６（ａ），（ｂ）に拡大して示したように、ハンドル７１内に取り入れた空気がスムーズにハンドル７１の箱部７１ｆ（図４，図５）側に流れるように複数の矩形溝８３ａが空気の流動方向（長手方向）に沿って形成されていると共に、ヒートパイプ８２の他端放熱部８２ｂ側を不図示の接着剤などにより固着するためのＵ字溝８３ｂも長手方向に沿って形成されている。
【００４９】
また、上記したファン８５はハンドル７１の第１，第２の内部中空部Ｋ１，Ｋ２内の空気を外部に排出するようになっているが、これに限ることなく、外部の空気をハンドル７１の第１，第２の内部中空部Ｋ１，Ｋ２内に取り入れる構造も考えられるので、ハンドル７１の第１，第２の内部中空部Ｋ１，Ｋ２をカバー７２，７３で覆ったハンドル部７０に空気孔７３ａとファン８５とをヒートシンク８３を挟んで設け、空気孔７３ａとファン８５との間でハンドル７１の第１，第２の内部中空部Ｋ１，Ｋ２内の空気を一方から他方に流動させれば良い。
【００５０】
尚、この実施例では、ハンドル部７０にファン８５を必要に応じて設けたが、ファン８５を設けない場合にはハンドル７１の把持部の周辺に通気孔を形成することも可能である。
【００５１】
従って、回路基板４１上に搭載したＬＳＩ４２Ａ，４２Ｂ，４２Ｃなどの電子部品からの発熱は、これらの電子部品に接するか又は接近して配置された放熱部８０の熱伝導部材８１へ伝導されると共に、熱伝導部材８１に伝導された熱はヒートパイプ８２の一端入熱部８２ａ側を加熱して、この一端入熱部８２ａ側と反対側の他端放熱部８２ｂ側がカメラ筐体２１内からハンドル７１内の第２の内部中空部Ｋ２を経由して第１の内部中空部Ｋ１に延出されるまでに熱を下降して他端放熱部８２ｂ側へと伝導される。更に、ヒートパイプ８２の他端放熱部８２ｂ側に伝達された熱は、この他端放熱部８２ｂ側を固着したヒートシンク８３を介して放熱されていると共に、必要に応じてハンドル７１の第１，第２の内部中空部Ｋ１，Ｋ２内に注入した空気によりヒートシンク８３を冷却しながらこの空気をファン８５で外部に排出しているので、放熱部８０の放熱効果をより一層高めることができる。
【００５２】
そして、図７には、放熱部８０による温度分布をカラ−化した情報を２値化して等温高線で示している。
【００５３】
この図７によると、回路基板４１上に搭載した発熱するＬＳＩ４２Ａは放熱部が無い時に９３°Ｃであつたものが放熱部がある時に７０°Ｃまで下がり、また、ＬＳＩ４２Ｂは放熱部が無い時に９０°Ｃであつたものが放熱部がある時に７２°Ｃまで下がり、更に、ＬＳＩ４２Ｃは放熱部が無い時に８９°Ｃであつたものが放熱部がある時に７３°Ｃまで下がっているので、カメラ筐体２１の温度は放熱部が無い時に比べて放熱部８０がある時の方が大幅に低減でき、回路基板４１上に搭載した他の電子部品に対して悪影響を及ぼすことがなくなり、更に、記録再生部５０（図１）中の記録媒体に対しても悪影響を及ぼすことがなくなるので、ビデオカメラ１の信頼性向上に寄与できる。
【００５４】
また、放熱部８０を設けた時に、回路基板４１上に搭載した発熱するＬＳＩ４２Ａ，４２Ｂ，４２Ｃなどの電子部品から発生した熱が熱伝導部材８１からヒートパイプ８２を介してヒートシンク８３に伝導された後の熱によりヒートシンク８３の表面温度は６０°Ｃ前後まで下がるので、ハンドル７１の表面温度も４０°Ｃ前後に押さえられるために、仮に操作者がハンドル部７０を把持しながら被写体を撮影しても何等の支障もきたさない。尚、ハンドル部７０は、通常、可搬用として使用されるものであることは前述した通りである。
【００５５】
このように、本発明に係るビデオカメラ１では、カメラ筐体２１の内部に取り付けられた信号処理回路部４０の回路基板４１上に搭載した電子部品からの発熱を、熱伝導部材８１とヒートパイプ８２とヒートシンク８３とを順に介してカメラ筐体２１から遠ざかる位置にあるハンドル７１内まで導いて、ハンドル部７０から外部に放熱しているので、カメラ筐体２１の温度上昇を抑えることができ、これに伴ってビデオカメラ１の品質向上に寄与でき、且つ、ビデオカメラ１の使用勝手も良好となる。また、本発明構成によればカメラ筐体２１に通気孔を設けることなく放熱が可能となるため、カメラ筐体２１に塵埃や水滴の浸入を未然に防止できるので、機器を保護することができる。
【００５６】
尚、上記した実施例では、カメラ筐体２１内に設けた電子部品からの発熱は、回路基板４１上に搭載した発熱するＬＳＩ４２Ａ，４２Ｂ，４２Ｃを例にして説明したが、これに限ることなく、図５に示したようにカメラ筐体２１中の中枠２３内に設けた３板式の固体撮像素子３３Ｒ，３３Ｇ，３３Ｂからの発熱を、この固体撮像素子３３Ｒ，３３Ｇ，３３Ｂに接するか又は接近して配置された不図示の熱伝導部材と、この熱伝導部材に一端部が固着されて他端部側がハンドル７１まで延出した不図示のヒートパイプと、このヒートパイプの他端部が固着されてハンドル７１内に収納される不図示のヒートシンクとを介してハンドル部７０から外部に放熱することも可能であり、これに伴って、固体撮像素子３３Ｒ，３３Ｇ，３３Ｂ及び／又は回路基板４１上に搭載した電子部品が放熱部８０により放熱される対象部材となるものである。
【図面の簡単な説明】
【００５７】
【図１】本発明に係るビデオカメラの全体構成を説明するための構成図である。
【図２】本発明に係るビデオカメラを後面側から見た時の外観を示した外観斜視図である。
【図３】本発明に係るビデオカメラにおいて、カメラ筺体を説明するために分解して示した分解斜視図である。
【図４】本発明に係るビデオカメラにおいて、カメラ筺体の上方部位に取り付けた可搬用のハンドル部を分解して示した分解斜視図である。
【図５】本発明に係るビデオカメラにおいて、カメラ筺体中の中枠内に取り付けられた撮像素子部と、中枠内に取り付けられた信号処理回路部の回路基板上に搭載した電子部品からの発熱をカメラ筺体の上方部位に取り付けた可搬用のハンドル部から外部に放熱する状態とを示した平面図である。
【図６】本発明に係るビデオカメラにおいて、カメラ筺体内に取り付けられた信号処理回路部の回路基板上に搭載した電子部品からの発熱をカメラ筺体の上方部位に取り付けた可搬用のハンドル部から外部に放熱する状態を摸式的に拡大して示した斜視図であり、（ｂ）はヒートシンクをイーイ線に沿って断面した断面図である。
【図７】本発明に係るビデオカメラにおいて、カメラ筺体内及びハンドル部内の温度分布を摸式的に示した図である。
【符号の説明】
【００５８】
１…ビデオカメラ、
１０…レンズ鏡筒部、１１…レンズ鏡筒、１２…撮影レンズ、
２０…カメラ本体部、２１…カメラ筐体、２２…前枠、２３…中枠、２４…後枠、
３０…撮像素子部、３１…ダイクロイックプリズム、
３２Ｒ，３２Ｇ，３２Ｂ…３板式の固体撮像素子、
４０…信号処理回路部、４１…回路基板、４１、４２Ａ，４２Ｂ，４２Ｃ…ＬＳＩ、
５０…記録再生部、
６０…操作部、６２…液晶パネル、
７０…ハンドル部、７１…ハンドル、７１ａ…下板部、７１ｂ…上板部、
７１ｃ…左側板部、７１ｄ…右側板部、７１ｅ…把持部（把持用孔）、７１ｆ…箱部、
７２…上カバー、７３…右側カバー、７３ａ…空気孔、７４…左側カバー、
８０…放熱部、８１…熱伝導部材、８１ａ…ブラケット、
８２…ヒートパイプ、８２ａ…一端入熱部、８２ｂ…他端放熱部、
８３…ヒートシンク、８３ａ…矩形溝、８３ｂ…Ｕ字溝、
８４…取付板、８５…ファン、８６…ファンカバー、８６ａ…空気孔、
９０…ビューファインダー部、９２…マイクロホン、９４…ショルダーパッド、
９６…バッテリー、
Ｋ１…第１の内部中空部、Ｋ２…第２の内部中空部、Ｋ３…第３の内部中空部。
【図１】
2006340214.tif 000003
【図２】
2006340214.tif 000004
【図３】
2006340214.tif 000005
【図４】
2006340214.tif 000006
【図５】
2006340214.tif 000007
【図６】
2006340214.tif 000008
【図７】
2006340214.tif 000009